(57)【特許請求の範囲】
【請求項１】
カメラ本体から突出した使用位置と、カメラ本体内の収納位置とに移動可能なポップアップストロボを設けたカメラにおいて、
上記ポップアップストロボの背後に、フィルム走行方向に沿う方向でバッテリ室を設け、
上記ポップアップストロボが、バッテリ室の長手方向と平行な軸を中心に回動しながらカメラ本体に対する上下動を行って上記使用位置と収納位置との間を移動することを特徴とする、ポップアップストロボを有するカメラ。
【請求項２】
請求項１記載のポップアップストロボを有するカメラにおいて、上記バッテリ室は円筒状をなし、上記ポップアップストロボの下面は、収納位置においてこの円筒状のバッテリ室の一部に沿う曲面をなしている、ポップアップストロボを有するカメラ。
【請求項３】
請求項１または２記載のポップアップストロボを有するカメラにおいて、ポップアップストロボの前方には、該ポップアップストロボを支持するカメラ本体側の支持部材が配置されている、ポップアップストロボを有するカメラ。
【請求項４】
請求項３記載のポップアップストロボを有するカメラにおいて、上記支持部材の内部にカメラの電気部品を配置したポップアップストロボを有するカメラ。
【請求項５】
請求項４記載のポップアップストロボを有するカメラにおいて、上記電気部品は、ポップアップストロボの位置を検知する検知スイッチである、ポップアップストロボを有するカメラ。
【請求項６】
請求項１ないし５のいずれか１項記載のポップアップストロボを有するカメラにおいて、ポップアップストロボは、上下動と回動を同時に行わせるリンク機構により支持されている、ポップアップストロボを有するカメラ。
【請求項７】
請求項６記載のポップアップストロボを有するカメラにおいて、上記リンク機構の支持軸は、上記ポップアップストロボ前方の支持部材に設けられている、ポップアップストロボを有するカメラ。
【請求項８】
請求項１ないし７のいずれか１項記載のポップアップストロボを有するカメラにおいて、ポップアップストロボとバッテリ室は、巻上スプール室の上部に配置されている、ポップアップストロボを有するカメラ。
【請求項９】
カメラ本体から突出した使用位置と、カメラ本体内の収納位置とに移動可能なポップアップストロボを設けたカメラにおいて、
上記ポップアップストロボの背後に、フィルム走行方向に沿う方向でバッテリ室を設け、
上記ポップアップストロボが、バッテリ室の長手方向と平行な軸を中心にして回動して上記使用位置と収納位置との間を移動することを特徴とする、ポップアップストロボを有するカメラ。
【請求項１０】
請求項９記載のポップアップストロボを有するカメラにおいて、上記バッテリ室は円筒状をなし、上記ポップアップストロボの下面は、収納位置においてこの円筒状のバッテリ室の一部に沿う曲面をなしている、ポップアップストロボを有するカメラ。
【請求項１１】
請求項９または１０記載のポップアップストロボを有するカメラにおいて、ポップアップストロボの前方にカメラの電気部品が配置されている、ポップアップストロボを有するカメラ。
【請求項１２】
請求項１１記載のポップアップストロボを有するカメラにおいて、上記電気部品は、ポップアップストロボの位置を検知する検知スイッチである、ポップアップストロボを有するカメラ。
【請求項１３】
請求項９ないし１２のいずれか１項記載のポップアップストロボを有するカメラにおいて、ポップアップストロボとバッテリ室は、巻上スプール室の上部に配置されている、ポップアップストロボを有するカメラ。
【発明の詳細な説明】
【０００１】
【技術分野】
本発明は、カメラ本体内の非使用位置と外部に露出する使用位置とに移動可能なポップアップ式のストロボを有するカメラに関している。
【０００２】
【従来技術及びその問題点】
携行性やデザイン上の要請から、カメラの小型化が進められている。小型化を達成するには、各機能部品がカメラボディ内へ効率よく配置されなければならない。しかし、カメラが高機能になるほど様々な形状をなす部品が増えるため、スペース効率の良いカメラ構成は困難となる。例えば、カメラ本体内の非使用位置と外部に露出する使用位置とに移動可能なポップアップ式のストロボを備えた場合、ストロボが収納位置に収まったときに、その周囲に空きスペースがないことが望ましい。また、カメラに装填される電池は一般に縦長の円筒状をなしているため、その設置位置が制約されてしまう。
【０００３】
【発明の目的】
本発明は、ポップアップストロボを有するカメラにおいて、カメラ本体内のスペース効率を向上させ、カメラの小型化を可能とすることを目的とする。
【０００４】
【発明の概要】
本発明は、ポップアップストロボを有するカメラの構成部材の配置構造に関してなされたものであり、カメラ本体から突出した使用位置と、カメラ本体内の収納位置とに移動可能なポップアップストロボを設けたカメラにおいて、ポップアップストロボの背後に、フィルム走行方向に沿う方向でバッテリ室を設け、ポップアップストロボが、バッテリ室の長手方向と平行な軸を中心に回動しながらカメラ本体に対する上下動を行って使用位置と収納位置との間を移動することを特徴とする。本発明はまた、ポップアップストロボの背後に、フィルム走行方向に沿う方向でバッテリ室を設けた上で、ポップアップストロボが、バッテリ室の長手方向と平行な軸を中心とする回動によって使用位置と収納位置との間を移動することを特徴としている。キセノン管を有する都合上、ストロボ本体は横長形状をなしている場合が多く、その背後にフィルム走行方向に沿わせてバッテリ室を設けるとスペース効率が良い。
【０００５】
ポップアップストロボが回動しながら上下動する態様と、回動のみ行う態様のいずれにおいても、バッテリ室は円筒状をなし、ポップアップストロボの下面は、収納位置においてこの円筒状のバッテリ室の一部に沿う曲面をなすことが望ましい。ポップアップストロボは、収納位置では円筒状のバッテリ室と隙間なく隣接するので、スペースに無駄が生じない。
【０００６】
ストロボの発光面は一定の面積を必要とし、該発光面を一面とする筐体として発光部を形成した場合、この発光部が、発光面を正立させた使用位置から回動を伴って収納位置に至ると、発光面の前方に空きスペースができる。また、上記のようにポップアップストロボの後方にバッテリ室を設けると、該後方位置にポップアップストロボの支持部を設けることが難しい。そこで、ポップアップストロボが回動しながら上下動する態様では、ポップアップストロボの前方に、該ポップアップストロボを支持するカメラ本体側の支持部材が配置されることが望ましい。さらに、この支持部材の内部には、カメラの電気部品を配置することが望ましい。また、ポップアップストロボが回動のみ行う態様でも、ポップアップストロボの前方に電気部品を配置することが望ましい。電気部品は、例えば、ポップアップストロボの位置を検知する検知スイッチとすることができる。
【０００７】
ポップアップストロボが回動しながら上下動する態様では、ポップアップストロボは、上下動と回動を同時に行わせるリンク機構により支持させることができる。このリンク機構の支持軸は、上記ポップアップストロボ前方の支持部材に設けられることが好ましい。
【０００８】
以上の構成において、ポップアップストロボとバッテリ室は、巻上スプール室の上部に配置されることが好ましい。
【０００９】
【発明の実施の形態】
図１及び図２に示すコンパクトカメラは、カメラボディ１１の正面中央にズームレンズ鏡筒１３を備えたズームカメラである。カメラボディ１１内にはズームレンズ鏡筒１３を挟んで、左側にフィルムカートリッジ収納室４６、右側に巻上スプール室４７が設けられている。カメラボディ１１の高さは、筒状のカートリッジを収納するフィルムカートリッジ収納室４６よりも高くする必要がある。一方、スプール４８はフィルムの幅分の高さがあれば足りるので、巻上スプール室４７の上方には一定のスペースを形成することができる。
【００１０】
この巻上スプール室４７上方のスペースは、カメラの前後方向へ３つのセクションに分けられる。このうち、カメラボディ１１の前壁１１ａに隣接する第１のセクションには箱状のストロボ支持体２２が設置されている。ストロボ支持体２２の後方には半円筒状の中間隔壁２３があり、該中間隔壁２３とストロボ支持体２２との間、つまり第２のセクションはストロボ収納空間２１となっている。ストロボ収納空間２１の上部は、外部に臨む開口となっている。このストロボ収納空間２１の後方は、中間隔壁２３とカメラボディ１１の後壁１１ｂとにより、第３のセクションであるバッテリ室４０が形成されている（図３、図４参照）。
【００１１】
バッテリ室４０は、カメラボディ１１の後壁１１ｂと上記の中間隔壁２３とにより形成された円筒状の空間であり、その軸線はカメラボディ１１内におけるフィルムの走行方向に延びている。換言すれば、バッテリ室４０は横長の円筒状をなしてストロボ収納空間２１（ポップアップストロボ１２）の背後に設置される。カメラボディ１１の左側面には、バッテリ室４０と外部を連通させる開閉蓋４１が設けられる（図２）。この開閉蓋４１を開けて、円筒状の電池をバッテリ室４０内に挿入する。開閉蓋４１は閉鎖ロック機構を有していて、開閉蓋４１を閉成してロックをかけるとバッテリ室４０内の電池とカメラ内部の電気回路が通電される。本実施形態のカメラでは、小型円筒形状のリチウム電池（ＣＲ２）を用いており、バッテリ室４０はこれを収納できるサイズに形成されている。
【００１２】
このカメラは、バッテリ室４０の前方に隣接してポップアップ式のストロボ装置を有している。このポップアップストロボ１２は、ストロボブロック１４と、これを上下に可動に支持する支持リンク機構１５（図３から図５参照）とから構成されている。
【００１３】
ストロボブロック１４は、内部に円管状のキセノン管１６と、その背後の反射板１７を配した発光器（発光筐体）である。ストロボブロック１４は、前面にストロボレンズ１８を配し、該ストロボレンズ１８と対向する奥部にキセノン管１６が設置されている。図３及び図４に示すように、反射板１７は、ストロボレンズ１８へ向けて開いた断面山形形状となっている。ストロボブロック１４の左右一対の側板１９は、この反射板１７の形状に応じて、ストロボレンズ１８方向に向けて幅を広くして形成されている。ストロボブロック１４の上面には天板１４ａが固着されている。また、ストロボブロック１４の底面は、上記中間隔壁２３の外形状に沿う曲面状底部２０となっている。
【００１４】
ストロボブロック１４は、その左右の側板１９を支持する一対の支持リンク機構１５によって、使用位置（図３）と収納位置（図４）とに移動可能に支持される。それぞれの支持リンク機構１５は、原動レバー２５、Ｌ字型リンク２６及びＣ字型リンク２７からなっている。原動レバー２５は、回動軸２５ａでストロボ支持体２２に軸支され、他端のストロボ支持軸２５ｂで上記ストロボブロック１４の側板１９を軸支している。Ｌ字型リンク２６は、ストロボブロック１４の側板１９に設けた被支持突起１９ａを、ストロボ支持長孔２６ｂで回動及び摺動自在に支持し、屈曲部２６ａが原動レバー２５上に軸支されている。Ｃ字型リンク２７は回動軸２７ａでストロボ支持体２２に軸支され、自由端部２７ｂをＬ字型ＺＸ６リンク２６の自由端部２６ｃと相対回動可能に連結されている。
【００１５】
このリンク機構は、原動レバー２５の回動軸２５ａの回動中心と、Ｃ字型リンク２７の回動軸２７ａの回動中心を結ぶ線（節）は固定の位置であり、これに対して各節が動作される。原動レバー２５が回動すると、ストロボ支持軸２５ｂがストロボブロック１４を上下動させ、同時に、Ｌ字型リンク２６とＣ字型リンク２７が従動して、ストロボブロック１４の位置及び姿勢を制御する。なお、左右の原動レバー２５は連結部２８（図５にハッチングで示す）で接続されており、これにより一対の支持リンク機構１５は左右一体に動作する。
【００１６】
図５の向かって左側の支持リンク機構１５を構成する原動レバー２５の回動軸２５ａには、その周面に第１ギヤ２９ａが形成されている。この第１ギヤ２９ａは、第２ギヤ２９ｂと噛み合っている。第１ギヤ２９ａを有する原動レバー２５は、トーションばね３１によって、ストロボブロック１４を使用位置に移動させる回動位置へ付勢されている。第２ギヤ２９ｂは、回動軸２９ｃでストロボ支持体２２に軸支されていて、上記トーションばね３１が原動レバー２５を付勢する力により、ストロボブロック１４を使用位置にさせる方向に回転付勢されている。また、鏡筒従動ピン３０は第２ギヤに２９ｂに係脱可能な径方向腕部３０ａを有している。
【００１７】
このカメラのズームレンズ鏡筒１３は、メインスイッチがオフのときカメラボディ１１内に格納され、メインスイッチがオンされると撮影可能位置まで一定量繰り出される沈胴式である。鏡筒従動ピン３０は、このズームレンズ鏡筒１３の移動に連動して光軸方向へ進退動する。そしてズームレンズ鏡筒１３が格納位置に移動したときに、径方向腕部３０ａが第２ギヤ２９ｂに係合して上記付勢方向と反対側に押し込み、上記トーションばね３１の付勢力に抗して第２ギヤ２９ｂをストロボ収納方向に回転させる。これを受けて、第１ギヤ２９ａを介して原動レバー２５が下降回動され、リンク機構１５によりストロボブロック１４が収納位置に移動される。ズームレンズ鏡筒１３が格納位置にある間は、鏡筒従動ピン３０がギヤを係止し、リンク機構１５はストロボブロック１４を収納位置に保持する。なお、原動レバー２５が下降回動されると、トーションばね３１が撓んで次のポップアップ動作のチャージが行われる。よってズームレンズ鏡筒１３が格納位置から撮影可能位置へ進出すると、第２ギヤ２９ｂの係止が解除され、トーションばね３１の解放動作を許し、そのばね力でリンク機構１５が駆動され、ストロボブロック１４が使用位置にポップアップする。
【００１８】
上記のリンク機構１５の動作をまとめると、ストロボブロック１４は、原動レバー２５の回動に伴って、カメラボディ１１に対する上下動と、一対の被支持突起１９ａ及び原動レバー２５のストロボ支持軸２５ｂとの連結点を中心とする回動とを同時に行う。具体的には、ストロボ発光部１４は、原動レバー２５が上昇回動位置にあるときには、ストロボレンズ１８をカメラ正面に向けた正立状態でカメラボディ１１の上面から突出しており（使用位置：図３）、原動レバー２５が下降回動位置にあるときには該正立状態より一定量回動されつつストロボ収納空間２１内に引き込まれ、ストロボレンズ１８を斜め下方に向ける位置（収納位置：図４）に移動する。図４に示すように、ストロボブロック１４が収納位置（ストロボ収納空間２１）に収納されたとき、天板１４ａはカメラボディ１１の上面と略同一平面をなす。このとき、ストロボブロック１４の曲面状底部２０は、中間隔壁２３に沿って隙間なく密接している。
【００１９】
ストロボの発光面であるストロボレンズ１８は一定の面積を要する。また、ストロボブロック１４の収納状態で、天板１４ａがカメラボディ１１の上面と略同一平面をなすように平面状に形成される。さらに反射板１７は、ストロボレンズ１８へ向けて開いた断面山形形状となっている。これらの条件により、ストロボブロック１４の断面形状は図３、図４に示すような略三角形状となる。従って、ストロボブロック１４をバッテリ室４０の側壁面（中間隔壁２３）に沿わせて収納させると、発光面（ストロボレンズ１８）の前方にはデッドスペースができる。このデッドスペースに、上記ストロボ支持体２２が配置されている。
【００２０】
ストロボブロック１４を支持する一対のリンク機構１５は、このストロボ支持体２２の外側面に軸支されている。一方、ストロボ支持体２２内部にはストロボアップ検知スイッチが設けられる。この検知スイッチは、対向する一対の上側接片３４及び下側接片３５を備えたスイッチばね３３を有している（図５）。接片３４、３５の根元部分の間隔は、ストロボ支持体２２に固設された支点突起３６に保持されて開いている。スイッチばね３３は、接片３４、３５を接離させる弾性を有し、組込状態では接片３４、３５の先端付近が離れる付勢力を与えられている。下側接片３５は上側接片３４より長く、該下側接片３５の先端部にはレバー３８が固設されている。このレバー３８は、ストロボブロック１４が収納位置から使用位置に移動する際に、カメラボディ１１側面側の原動レバー２５に設けたスイッチ係合部２５ｃによって上方に押し上げられて、スイッチばね３３の弾性力に抗して下側接片３５が上側接片３４に当接される。そしてストロボブロック１４が使用位置から収納位置に移動すると、スイッチ係合部２５ｃの押し上げが解除されるので、スイッチばね３３は自由状態に戻って接片３４、３５が離れる。
【００２１】
ストロボ支持体２２内には、さらにストロボ発光制御回路（不図示）の一部が配設されている。接片３４、３５は、この制御回路と電気的に接続されていて、接片３４、３５が接触すると通電する（スイッチオン）。つまり、ストロボアップ検知スイッチはストロボブロック１４の移動力でオンオフされるもので、ストロボブロック１４が使用位置にあるときには、検知スイッチはオンとなり、ストロボブロック１４が収納位置にあるときには、検知スイッチはオフとなる。ストロボ支持体２２内には、さらに、コンデンサやトランス等の電気部品を配置することができる。
つまり、ストロボブロック１４の収納状態においてストロボレンズ１８の前方におけるデッドスペースは、ストロボ支持部材や電装部品を配置することで有効利用されている。
【００２２】
以上から、ストロボブロック１４が収納位置にあるとき、巻上スプール室４７の上方には、第１のセクションから第３のセクションまで、ほぼ隙間なく部材が配置されている。これは、収納時に一辺（天板１４ａ）がカメラボディ１１の外装面と略一面をなす、断面三角形状のストロボブロック１４の他の二辺のうち、カメラ後方側の一辺部（曲面状底部２０）にバッテリ室４０を隣接させ、カメラ前方側の一辺部（ストロボレンズ１８）に、カメラ本体側のリンク支持部と電装部品の収納室を兼ねるストロボ支持体２２を隣接させて配置したためである。これにより、ストロボ関連の部材が、巻上スプール室４７の上方にスペース効率良く配置できる。さらに、ストロボ用の制御回路を電源である電池に近く配置できるので、配線を簡単にできるという利点もある。
【００２３】
ポップアップストロボの支持手段は、リンク機構に限られない。図６のストロボブロック５０は、ポップアップ回動軸５１を有していて、該ポップアップ回動軸５１を中心に回動可能にカメラボディ１１に支持されている。付勢ばね５２は自由状態でストロボブロック５０が図示の使用位置にあるように付勢していて、ストロボブロック５０を収納位置まで手動で押し込むと、付勢ばね５２が縮み、カメラボディ１１内のストッパ５３がストッパ受け５４に係合してストロボブロック５０が収納位置に係止され、ポップアップのチャージ状態となる。ストロボブロック５０が収納された状態で不図示の解除ボタンを操作するとストッパ５３とストッパ受け５４の係合が解除され、付勢ばね５２のばね力でストロボブロック５０がポップアップする。このポップアップ時に、ストロボブロック５０のスイッチ係合部５５が、ストロボアップ検知スイッチ５６を押しあげてオンにする。ストロボアップ検知スイッチ５６は、自由状態では二点鎖線に位置（オフ）に付勢されていて、ストロボブロック５０が収納位置に動くと該付勢位置に復帰する。このストロボブロック５０は、レンズ鏡筒と連動させるギヤ機構やリンク機構を周囲に設けないので、構造が簡単で、ストロボ収納空間前方のスペース利用の自由度が増す。
【００２４】
【発明の効果】
以上のように本発明によれば、ポップアップストロボの後方にバッテリ室を設け、このポップアップストロボが使用位置と収納位置の間を移動する際には、バッテリ室の長手方向と平行な軸を中心とした回動（および上下動）を行わせ、このポップアップストロボの移動力でオンオフされるスイッチなどの電気部品やストロボの支持部をストロボの前側下部に配置したのでスペース効率が良い。よって、カメラの小型化を図ることができる。
【図面の簡単な説明】
【図１】本発明を適用する、ポップアップストロボを有するカメラの正面図である。
【図２】同カメラの左側面図である。
【図３】図１のIII −III 線に沿って示す、使用位置にあるポップアップストロボ、リンク機構及びその周辺の断面図である。
【図４】同収納位置にあるポップアップストロボ、リンク機構及びその周辺の断面図である。
【図５】カメラボディを透視して示す、ポップアップストロボと支持機構の正面図である。
【図６】ストロボブロック本体に回動軸がある形態の断面図である。
【符号の説明】
１１  カメラボディ
１２  ポップアップストロボ
１４  ５０  ストロボブロック（発光部）
１５  支持リンク機構
１７  反射板
１８  ストロボレンズ
２０  曲面状底部
２１  ストロボ収納空間
２２  ストロボ支持体
２３  中間隔壁
２５  原動レバー
２６  Ｌ字型リンク
２７  Ｃ字型リンク
３１  トーションばね
３３  スイッチばね
４０  バッテリ室
４７  巻上スプール室
５１  ポップアップ回動軸
【図１】
0003782534.tif 000002
【図２】
0003782534.tif 000003
【図３】
0003782534.tif 000004
【図４】
0003782534.tif 000005
【図５】
0003782534.tif 000006
【図６】
0003782534.tif 000007